(57)【特許請求の範囲】
【請求項１】
両端が上サネと下サネで構成された第１サイディングを胴縁を介してパネルの一主面側に工場艤装してなる複数のサイディング艤装パネルを現場で取り付け施工するサイディング艤装パネルの施工方法において、
前記第１サイディングの前記下サネの先端を前記パネルの一方の端面に揃えて配置するとともに、少なくとも前記第１サイディングの下サネ側の前記胴縁を当該下サネの先端より外側に延長して前記サイディング艤装パネルが構成されており、
一方のサイディング艤装パネルの一主面側における前記第１サイディングが配置されていない領域上に、他方のサイディング艤装パネルの前記胴縁の延長部分を重ねる状態で、前記サイディング艤装パネルを横方向に連結する工程と、
第２サイディングを、連結した前記サイディング艤装パネルのジョイント部を含む領域に取り付ける工程とを有する
ことを特徴とするサイディング艤装パネルの施工方法。
【請求項２】
前記サイディング艤装パネルには、前記パネルと前記胴縁との間に、前記パネルの一主面側を覆うとともに、当該パネルの前記一方の端面側では前記胴縁の延長部分の長さに相当する分延長し、当該パネルの他方の端面側では前記ジョイント部に達するように防水紙が設けられており、
前記サイディング艤装パネルを横方向に連結する工程では、一方のサイディング艤装パネルにおける前記第１サイディングが配置されていない前記防水紙上に、他方のサイディング艤装パネルにおける前記胴縁の延長部分の下地の前記防水紙を重ね合わせることで、前記ジョイント部で前記防水紙を重ね合わせ、前記胴縁の延長部分で前記防水紙の重ね合わせ部分を押さえ込む
ことを特徴とする請求項１記載のサイディング艤装パネルの施工方法。
【発明の詳細な説明】
【０００１】
【発明の属する技術分野】
本発明は、両端を上サネ、下サネで構成したサイディングを胴縁を介してパネルに工場艤装してなるサイディング艤装パネルを現場で建物に取り付け施工する施工方法に関するものである。
【０００２】
【従来の技術】
従来、両端を上サネ、下サネで構成したサイディングを胴縁を介してパネルに工場艤装してなるサイディング艤装パネルは、胴縁がサイディング艤装パネルのジョイント部分までしかなかった。このため、サイディング艤装パネルを工場から現場に搬送する際、あるいは現場で取り付け施工する際等に、胴縁から突出している下サネが他の部位に接触あるいは当接して欠損を生ずる場合があるという問題があった。
【０００３】
また、このサイディング艤装パネルを現場で壁パネルに取り付け施工する場合に、下地の防水紙をサイディング艤装パネルのジョイント部分、あるいはコーナー部分で重ね合わせることができないため、サイディング艤装パネルのジョイント部分及びコーナー部分並びにこれらの部分に取り付け施工する現場サイディング部分の防水効果を損なうという問題があった。
【０００４】
【発明が解決しようとする課題】
本発明の課題は、サイディング艤装パネルを工場から現場に搬送する際や現場で取り付け施工する際等に、その下サネの欠損を防止することができるサイディング艤装パネルを提供することにある。本発明のもう一つの課題は、下地の防水紙をサイディング艤装パネルのジョイント部分、あるいはコーナー部分に重ね合わせて施工し、ジョイント部分及びコーナー部分での防水効果を高めることができるサイディング艤装パネルの施工方法を提供することにある。
【０００５】
【課題を解決するための手段】
上記した課題を解決するため、本発明にかかるサイディング艤装パネルの施工方法は、両端が上サネと下サネで構成された第１サイディングを胴縁を介してパネルの一主面側に工場艤装してなる複数のサイディング艤装パネルを現場で取り付け施工するサイディング艤装パネルの施工方法において、前記第１サイディングの前記下サネの先端を前記パネルの一方の端面に揃えて配置するとともに、少なくとも前記第１サイディングの下サネ側の前記胴縁を当該下サネの先端より外側に延長して前記サイディング艤装パネルが構成されており、一方のサイディング艤装パネルの一主面側における前記第１サイディングが配置されていない領域上に、他方のサイディング艤装パネルの前記胴縁の延長部分を重ねる状態で、前記サイディング艤装パネルを横方向に連結する工程と、第２サイディングを、連結した前記サイディング艤装パネルのジョイント部を含む領域に取り付ける工程とを有することを特徴としている。
【０００６】
このようなサイディング艤装パネルの施工方法によれば、サイディングの下サネの先端より外側に延長する胴縁によって、下サネの突出部分を保護することができるため、サイディング艤装パネルの搬送時や現場施工時における下サネの欠損を防止できる。また、その胴縁の延長部分により、現場施工時にサイディング艤装パネルのジョイント部分における下地の防水紙の重ね合わせ部分を押さえ込んで、サイディング艤装パネルを取り付け施工することができるため、サイディング艤装パネルのジョイント部分での防水効果を高めることができる。
【０００７】
【発明の実施の形態】
以下に本発明の実施の形態を図１及び図２に基づいて説明する。図１は本発明の第１の実施形態にかかるサイディング艤装パネルとその施工方法を示す横断面図、図２は本発明の第２の実施形態にかかるサイディング艤装パネルとその施工方法を示す横断面図である。
【０００８】
第１の実施形態において、１はパネルであり、２はそのジョイント部を示す。図１はこのパネル１に対しサイディングを工場艤装したサイディング艤装パネル３を現場で取り付け施工している状態を示している。サイディング艤装パネル３は、両端を上サネ４と下サネ５で構成したサイディング６（第１サイディング）を胴縁７を介してパネル１に工場で艤装したものであり、少なくともサイディング６の下サネ５側の胴縁７を下サネ５の先端より外側に延長して構成される。なお、この実施形態では上サネ４側の胴縁７も同様に延長されている。
【０００９】
工場艤装されたサイディング艤装パネル３は、現場に搬送され、建物の壁パネル１に取り付け施工される。このサイディング艤装パネル３の取り付け施工に際しては、先ず、現場サイディング８が施工される側、すなわち図１に示す左側の下地の防水紙９がジョイント部２に達するように貼り付けられているサイディング艤装パネル３を釘打ち等によって取り付け施工する。
【００１０】
次いで、図１に示す右側のサイディング艤装パネル３を、下地の防水紙９をその左側のサイディング艤装パネル３の防水紙９の上に、胴縁７の延長部分７ａの長さに相当する分だけ重ね合わせて貼り付け、この防水紙９の上に胴縁７の延長部分７ａにより防水紙９を押さえ込むようにして右側のサイディング艤装パネル３を置き、釘打ち等によって取り付け施工する。
【００１１】
このようにして、工場艤装したサイディング艤装パネル３を現場で取り付け施工した後、最後にジョイント部２に現場サイディング８（第２サイディング）を置き、これを釘打ち等によって取り付け施工する。なお、ここではジョイント部２に取り付ける現場サイディング８のみを現場で施工する形態を取っており、以上によりサイディング艤装パネル３の取り付け施工が行われる。
【００１２】
しかして、この第１実施形態にかかるサイディング艤装パネル３によると、サイディング６の下サネ５の先端より外側に延長された胴縁７の延長部分７ａによって、下サネ５の突出部分を保護することができる。このため、サイディング艤装パネル３の搬送時や現場施工時に、その下サネ５が他の部位に接触あるいは当接して欠損するのを防止することができると共に、胴縁７の延長部分７ａにより現場施工時に下地の防水紙９を重ね合わせて押さえ込むことによって、ジョイント部２の下地の防水紙９を簡易に施工することができる。更に、胴縁７の延長部分７ａによって、現場施工された現場サイディング８の表面と工場艤装されたサイディング６の表面とを揃えることができる。
【００１３】
また、上記のように胴縁７をサイディング６の下サネ５先端より外側に延長して構成した工場艤装のサイディング艤装パネル３を用い、その胴縁７の延長部分７ａによって、現場施工時に壁パネル１のジョイント部２における下地の防水紙９の重ね合わせ部分を押さえ込んで、サイディング艤装パネル３を取り付け施工し、その上に現場サイディング８を取り付け施工することができるため、ジョイント部２での防水効果を高めることができる。
【００１４】
次に、図２に示す第２の実施形態について説明する。この実施形態は、コーナー部１０に工場艤装したサイディング艤装パネル３を現場で取り付け施工する場合の形態を示したものである。ここでは、コーナー部１０に施工するコーナーサイディング１１のみを現場で施工する形態を取っている。
【００１５】
サイディング艤装パネル３は、上記した第１の実施形態のものと同様、両端を上サネ４と下サネ５で構成したサイディング６を胴縁７を介してパネル１に工場艤装したものであり、少なくともサイディング６の下サネ５側の胴縁７を下サネ５の先端より外側に延長して構成されている。
【００１６】
このサイディング艤装パネル３の取り付け施工に際しては、先ず、図２に示すようにコーナー部１０側に下サネ５が位置するよう配置されたサイディング艤装パネル３の取り付け側で下地の防水紙９を重ね合わせるようにして貼り付けられている。このコーナー部１０に対し重ね合わせて貼り付けられた防水紙９を含んで、より広い範囲に防水テープ１２を貼り付け、コーナー部１０の防水をより強化するようにしている。
【００１７】
そして、コーナー部１０の両側で胴縁７の延長部分７ａにより防水紙９を押さえ込むようにしてサイディング艤装パネル３を置き、これを釘打ち等によって取り付け施工する。コーナー部１０の施工に際しては、図示形態のように上サネ４側の胴縁７も上サネ先端より少し外側に延長して構成したタイプのサイディング艤装パネル３の方が、コーナー部１０で防水テープ１２の両端を押さえ付ける効果を発揮できることから望ましい。
【００１８】
最後にコーナー部１０に現場用のコーナーサイディング１１を置き、これを釘打ち等によって取り付け施工することにより、サイディング艤装パネル３の取り付け施工が行われる。しかして、この実施形態においても、第１の実施形態と同様、胴縁７の延長部分７ａにより下サネ５の突出部分を保護することができるため、下サネ５の欠損を防ぐことができると共に、防水紙９の重ね合わせ部分を押さえ込むことができるため、防水紙９を簡易に施工することができる。
【００１９】
また、コーナー部１０において、現場施工時に下地の防水紙９、更にはその上に貼られる防水テープ１２の重ね合わせ部分を押さえ込んで、サイディング艤装パネル３を取り付け施工し、その上にコーナーサイディング１１を取り付け施工することができるため、コーナー部１０での防水効果を一層高めることができる。更に、胴縁７の延長部分７ａによって、現場施工された現場サイディング８の表面と工場艤装されたサイディング６の表面とを揃えることができる。
【００２０】
【発明の効果】
以上に説明したように、本発明にかかるサイディング艤装パネルの施工方法によると、胴縁の延長部分によってサイディング艤装パネルの下サネの突出部分を保護することができるため、サイディング艤装パネルを工場から現場に搬送する際や現場で取り付け施工する際等に、下サネが他の部位に接触あるいは当接して欠損するのを防止することができる。
【００２１】
また、この胴縁の延長部分によって防水紙の重ね合わせ部分を押さえ込んで施工することができるため、防水紙を簡易に施工することができる。更に、本発明にかかるサイディング艤装パネルの施工方法によると、下地の防水紙をジョイント部分、あるいはコーナー部分に重ね合わせて貼り付け施工することができるため、ジョイント部分及びコーナー部分での防水効果を高めることできる。
【００２２】
更にまた、胴縁の延長部分によって、現場施工された現場サイディングの表面と工場艤装されたサイディングの表面とを揃えることができるため、ジョイント部分、あるいはコーナー部分での現場サイディングと工場艤装されたサイディングの不陸を解消することができる。
【図面の簡単な説明】
【図１】本発明の第１の実施形態にかかるサイディング艤装パネル及びその施工方法を示す横断面図である。
【図２】本発明の第２の実施形態にかかるサイディング艤装パネル及びその施工方法を示す横断面図である。
【符号の説明】
１ パネル
２ ジョイント部
３ サイディング艤装パネル
４ 上サネ
５ 下サネ
６ サイディング
７ 胴縁
７ａ 胴縁の延長部分
９ 防水紙
１０ コーナー部
【図１】
0003712022.tif 000002
【図２】
0003712022.tif 000003